(57)【要約】【課題】レバーを引くという簡単な作業により、ハンマーにて画鋲を打ち込むことができ、かつ移動具・整列具により、円形の頭部の画鋲を確実に打ち込むことのできる画鋲打ち機を提供する。【解決手段】画鋲打ち機本体に設けたレバーを引くことにより下降する先端に係止片を設けたアームと、このアームの係止片に係止する係止部を設けたハンマーと、このハンマーの頭部の下方に設けた押出ピンと、この押出ピンにて打ち込まれる画鋲を１つずつ前方に押し出し、押出ピンの下端に位置させる移動具と、画鋲を整列させるための整列具を設けてなることを特徴とする。【選択図】図１
2005028562.tif 000002
【特許請求の範囲】
【請求項１】
画鋲打ち機本体に設けたレバーを引くことにより下降する先端に係止片を設けたアームと、このアームの係止片に係止する係止部を設けたハンマーと、このハンマーの頭部の下方に設けた押出ピンと、この押出ピンにて打ち込まれる画鋲を１つずつ前方に押し出し、押出ピンの下端に位置させる移動具と、画鋲を整列させるための整列具を設けてなることを特徴とする画鋲打ち機。
【請求項２】
レバーに引下用引張スプリングを設け、ハンマーに押圧用引張スプリングを設け、押出ピンに支持用圧縮スプリングを設け、移動具が巻きバネであることを特徴とする請求項１記載の画鋲打ち機。
【請求項３】
押出ピンの下部に、磁石を設けてなることを特徴とする請求項１又は２記載の画鋲打ち機。
【請求項４】
アームの係止片が、ハンマーを押し上げ、一定の位置にてハンマーの係止部から外れ、押圧用引張スプリングにて押出ピンの叩部をたたくことを特徴とする請求項１、２又は３記載の画鋲打ち機。
【請求項５】
整列具が、レール状に形成し、画鋲の頭部を支持してなることを特徴とする請求項１、２、３又は４記載の画鋲打ち機。
【請求項６】
画鋲が、円形の頭部のものを使用することを特徴とする請求項１、２、３、４又は５記載の画鋲打ち機。
【発明の詳細な説明】
【技術分野】
【０００１】  本発明は、自動的に画鋲を１つずつ打ち込みできる画鋲打ち機に関するものである。
【背景技術】
【０００２】  従来の技術としては、棒状頭部を幅方向に連結させた複数の画鋲をスライド可能に挿入した筒状本体と、筒状本体の先端に設けられた個々の画鋲を打ち出す打ち出しガイドと、打ち出しガイドの頭部側において画鋲を打ち出すピストンと、ピストンの後部に取り付けられ、自動復帰手段を備えた打ち出し用レバーと、筒状本体の後端に設けられた画鋲補充口と、画鋲補充口を開閉する蓋とを有することを特徴とする画鋲の打ち出し器がある。（特許文献１参照）【０００３】
【特許文献１】  特開平９−２０７４９８号公報（請求項３、図４）
【発明の開示】
【発明が解決しようとする課題】
【０００４】  しかしながら、上記のような形態のものは、専用の画鋲（棒状頭部）を使用しなければならず、画鋲を切らせた時、専門店でしか購入できず、作業がストップすることがある。
また、専用の画鋲であるため、コストも高く、頭部が棒状であるためポスターや垂れ幕等の自重が重いものには使用できないものである。（破れてしまう危険性がある）
本発明は、上記の問題点に鑑みなされたもので、レバーを引くという簡単な作業により、ハンマーにて画鋲を打ち込むことができ、かつ移動具・整列具により、円形の頭部の画鋲を確実に打ち込むことのできる画鋲打ち機を提供することを目的とする。
【課題を解決するための手段】
【０００５】  課題を解決するための手段として、画鋲打ち機本体に設けたレバーを引くことにより下降する先端に係止片を設けたアームと、このアームの係止片に係止する係止部を設けたハンマーと、このハンマーの頭部の下方に設けた押出ピンと、この押出ピンにて打ち込まれる画鋲を１つずつ前方に押し出し、押出ピンの下端に位置させる移動具と、画鋲を整列させるための整列具を設けてなること。また、レバーに引下用引張スプリングを設け、ハンマーに押圧用引張スプリングを設け、押出ピンに支持用圧縮スプリングを設け、移動具が巻きバネであること。押出ピンの下部に、磁石を設けてなること。さらに、アームの係止片が、ハンマーを押し上げ、一定の位置にてハンマーの係止部から外れ、押圧用引張スプリングにて押出ピンの叩部をたたくこと。整列具が、レール状に形成し、画鋲の頭部を支持してなること。その上、画鋲が、円形の頭部のものを使用することを特徴とする。
【発明の効果】
【０００６】１）、レバーを引くという簡単な作業により、ハンマーにて画鋲を打ち込むことができる。
２）、各スプリングの作用により、簡単な構造でありながら、確実に画鋲を打ち込むことができる。
３）、移動具を巻きバネとすることにより、順次画鋲を前方へ押し出すことができる。
４）、整列具を、レール状に形成し、画鋲の頭部を支持することにより、１つずつ確実に整列できる。
５）、特に幕等の自重が重いものを止める場合、労力を要せず、誰でも簡単容易に作業を行える。
６）、画鋲が、従来品等の円形の頭部のものを使用できることにより、作業中に画鋲が無くなっても、近くの文具店等で購入できるため、非常に便利である。
【発明を実施するための最良の形態】
【０００７】
【実施例】  １は、画鋲打ち機である。
２は、合成樹脂製等によるハンドル２ａを形設してなる画鋲打ち機本体である。
３は、ピン３ａにて支持されているレバーであり、先端に引下用引張コイルバネ３ｂを設け、常時上方に支持してある。
４は、上記レバー３の前部に、ピン４ａにて支持されたアームで、先端に係止片４ｂを設けると共に、圧縮コイルスプリング４ｃを設け、常時アーム４を前方に押圧している。
５は、後部に上記アーム４の係止片４ｂに係止する係止部５ａを設けると共に、前方に頭部５ｂを設けたハンマーで、ピン５ｃにて支持され、押圧用引張スプリング５ｄにて、常時下方に押圧してなる。
６は、上記ハンマー５の頭部５ｂの下方に設けてなる押出ピンで、上部に交換可能な特殊鋼による叩部６ａを設けると共に、下部に磁石６ｂを設け、中部に支持用圧縮スプリング６ｃを設けてある。
７は、上記押出ピン６にて打ち込まれる円形の頭部を有する画鋲を１つずつ前方に押出し、押出ピンの下端に位置させる移動具で、巻きバネ７ａを設け、先端に後述する整列具の溝に差し込む、押出板７ｂを設けてある。
８は、画鋲Ｇを整列させるための整列具で、レール状に形成し、溝８ａを設け、上記押出板７ｂを出し入れ自在に設けてある。【０００８】  つぎに、画鋲打ち機１の使用例について下記に述べる。
例えば、葬儀等において垂幕Ｔを取り付ける場合、木枠Ｋに垂幕Ｔを押し付け所要個所に画鋲打ち機１の押出ピン６を位置させ、レバー３を上方に握ることにより、引下用引張コイルバネ３ｂが下がり、アーム４も下がることにより係止片４ｂにてハンマー５の係止部５ａを下げ、ハンマー５の頭部５ｂを上昇させる。
この時、押圧用引張スプリング５ｄが伸びており、同時に支持用圧縮スプリング６ｃにて押出ピン６を上昇させ、移動具７の巻きバネ７ａにて押出板７ｂを前方に押し出すことにより、画鋲Ｇを押出ピン６の下端に位置させ、磁石６ｂにて当着させる。
つづいて、よりレバー３を握ることにより、アーム４の係止片４ｂがハンマー５の係止部５ａより外れ、同時に押圧用引張スプリング５ｄが縮み（反力）、ハンマー５の頭部５ｂが押出ピン６の叩部６ａを叩き、支持用圧縮スプリング６ｃを縮め、磁石６ｂにて画鋲Ｇを木枠Ｋに打ち込み、垂幕Ｔを固定できるものである。【０００９】  このように、レバー３を握ることにより、連続して画鋲Ｇを打ち込むことができるものである。
なお、各スプリングはバランスのよい力とし、特に大きさ等は限定しないものある。
また、用途的には、色々考えられ、必要に応じて使用すればよい。
【産業上の利用可能性】
【００１０】  画鋲打ち機は、上記構造により、円形の頭部の画鋲を使用することができ、レバーを引くという簡単な作業により、ハンマーにて画鋲を打ち込むことができるもので、しかも女性でも連続して打ち込め、作業効率を向上させてなるもので、産業上の利用可能性は非常に高い。
【図面の簡単な説明】
【００１１】
【図１】  本発明の画鋲打ち機の一部縦断正面図。
【図２】  本発明の画鋲打ち機の一部縦断平面図。
【図３】  本発明の画鋲打ち機の要部の一部縦断正面図。
【図４】  本発明の画鋲打ち機の要部の一部縦断側面図。
【図５】  本発明の画鋲打ち機の底面図。
【図６】  本発明の画鋲打ち機の要部の使用状態を示す正面図。
【符号の説明】
１−−−画鋲打ち機
２−−−画鋲打ち機本体
３−−−レバー
４−−−アーム
５−−−ハンマー
６−−−押出ピン
７−−−移動具
８−−−整列具
【図１】
2005028562.tif 000003
【図２】
2005028562.tif 000004
【図３】
2005028562.tif 000005
【図４】
2005028562.tif 000006
【図５】
2005028562.tif 000007
【図６】
2005028562.tif 000008